(57)【要約】【課題】特定の機械状態下において機能する画像形成動作モードに関して熟知していないユーザや、特定の機械状態下において機能する画像形成動作モードが選択されていることを認識していないユーザにも使いやすい画像形成装置を提供する。【解決手段】原稿外自動消去モードが選択されている場合に（ステップＳ１；ＹＥＳ）、プラテンカバー１２３が閉じているときには（ステップＳ２；ＹＥＳ）、表示部１３１に「原稿外自動消去が選ばれています。プラテンカバーを開いて下さい」のメッセージを表示する（ステップＳ３）。プラテンカバー１２３が開いているときには（ステップＳ２；ＮＯ）、「原稿外自動消去が選ばれています。プラテンカバーは開いたままにして下さい」のメッセージを一定時間表示する（ステップＳ５）。【選択図】  図３
2005004039.tif 000002
【特許請求の範囲】
【請求項１】
特定機械状態下において機能する画像形成動作モードを選択的に指定することが可能に構成された画像形成装置において、
画像形成に必要な情報を表示する表示手段と、
前記画像形成動作モードが選択された場合であって、当該画像形成装置の機械状態が前記特定機械状態でない場合に、その特定機械状態にすることを促す内容の表示情報を前記表示手段に表示させ、当該画像形成装置の機械状態が前記特定機械状態である場合に、その特定機械状態を維持することを促す内容の表示情報を前記表示手段に表示させる制御手段と、
を備えたことを特徴とする画像形成装置。
【請求項２】
原稿が載置されるプラテンと、
前記プラテン上に開閉可能に設置されたプラテンカバー又はＡＤＦと、
を備え、
前記特定機械状態は、前記プラテンカバー又は前記ＡＤＦの開状態又は閉状態であることを特徴とする請求項１に記載の画像形成装置。
【請求項３】
前記画像形成動作モードは、前記プラテン上に載置された原稿の領域を自動判別する画像形成動作モードであることを特徴とする請求項２に記載の画像形成装置。
【請求項４】
前記画像形成動作モードは、折れた原稿を前記ＡＤＦに通紙するために設けられた画像形成動作モードであることを特徴とする請求項２に記載の画像形成装置。
【請求項５】
前記表示手段に表示される表示情報は、前記画像形成動作モードを含むことを特徴とする請求項１〜４のいずれか一項に記載の画像形成装置。
【請求項６】
前記制御手段は、前記画像形成動作モードが選択された場合であって、当該画像形成装置の機械状態が前記特定機械状態である場合に、その特定機械状態を維持することを促す内容の表示情報を前記表示手段に一定時間表示させた後、前記特定機械状態以外の機械状態を示す内容の表示情報を前記表示手段に表示させることを特徴とする請求項１〜５のいずれか一項に記載の画像形成装置。
【発明の詳細な説明】
【０００１】
【発明の属する技術分野】
本発明は、画像形成装置に関し、特に、特定の機械状態下において機能する画像形成動作モードを選択可能な画像形成装置に関する。
【０００２】
【従来の技術】
一般に、画像形成装置は、画像形成を行う際に、特定の機械状態を必要とする場合がある。例えば、プラテン上に載置された原稿の原稿領域と原稿外領域とを区別し、原稿領域のみ画像を形成する「原稿外自動消去モード」（例えば、特許文献１参照。）が選択されている場合には、プラテン上に開閉可能に設置されたプラテンカバーを開いた状態であることが要求される。
【０００３】
「原稿外自動消去モード」が選択されているにもかかわらず、プラテンカバーが閉じられている場合には、画像形成装置の表示部に「プラテンカバーを開いて下さい」等のメッセージが表示され、プラテンカバーを開くよう、ユーザに促す画像形成装置が用いられている。
【０００４】
【特許文献１】
特開２００１−１６０８９０号公報
【０００５】
【発明が解決しようとする課題】
しかしながら、プラテンカバーを開く理由を認識していないユーザにおいては、プラテンカバーを開いた後にプラテンカバーを閉じてしまう場合があった。この場合、再びプラテンカバーを開くことを促すメッセージが表示され、再びプラテンカバーを開くことになり、操作性が悪かった。
【０００６】
また、前のユーザが「原稿外自動消去モード」を選択した場合には、この機能が選択されていることを認識していないユーザもいると考えられる。この場合、ユーザは、プラテンカバーを開くよう指示される理由がわからない。また、指示通りにプラテンカバーを開いたとしても、意図せず原稿外自動消去が行われる場合があった。
【０００７】
本発明は、上記の従来技術における問題に鑑みてなされたものであって、特定の機械状態下において機能する画像形成動作モードに関して熟知していないユーザや、特定の機械状態下において機能する画像形成動作モードが選択されていることを認識していないユーザにも使いやすい画像形成装置を提供することを課題とする。
【０００８】
【課題を解決するための手段】
上記の課題を解決するための請求項１に記載の発明は、特定機械状態下において機能する画像形成動作モードを選択的に指定することが可能に構成された画像形成装置において、画像形成に必要な情報を表示する表示手段と、前記画像形成動作モードが選択された場合であって、当該画像形成装置の機械状態が前記特定機械状態でない場合に、その特定機械状態にすることを促す内容の表示情報を前記表示手段に表示させ、当該画像形成装置の機械状態が前記特定機械状態である場合に、その特定機械状態を維持することを促す内容の表示情報を前記表示手段に表示させる制御手段と、を備えたことを特徴とする画像形成装置である。
【０００９】
請求項１に記載の発明によれば、特定機械状態下において機能する画像形成動作モードが選択された場合であって、画像形成装置の機械状態が特定機械状態でない場合に、その特定機械状態にすることを促す内容の表示情報を表示手段に表示し、画像形成装置の機械状態が特定機械状態である場合に、その特定機械状態を維持することを促す内容の表示情報を表示手段に表示するので、特定機械状態下において機能する画像形成動作モードに関して熟知していないユーザが特定機械状態以外の状態にすることを防ぎ、操作性を向上させることができる。
【００１０】
請求項２に記載の発明は、原稿が載置されるプラテンと、前記プラテン上に開閉可能に設置されたプラテンカバー又はＡＤＦと、を備え、前記特定機械状態は、前記プラテンカバー又は前記ＡＤＦの開状態又は閉状態であることを特徴とする請求項１に記載の画像形成装置である。
【００１１】
請求項２に記載の発明によれば、プラテンカバー又はＡＤＦの開状態又は閉状態において機能する画像形成動作モードが選択された場合に、プラテンカバー又はＡＤＦの開状態又は閉状態を要求することができる。
【００１２】
請求項３に記載の発明は、前記画像形成動作モードは、前記プラテン上に載置された原稿の領域を自動判別する画像形成動作モードであることを特徴とする請求項２に記載の画像形成装置である。
【００１３】
請求項３に記載の発明によれば、原稿の領域を自動判別する画像形成動作モードが選択された場合に必要とされる機械状態を要求することができる。
【００１４】
請求項４に記載の発明は、前記画像形成動作モードは、折れた原稿を前記ＡＤＦに通紙するために設けられた画像形成動作モードであることを特徴とする請求項２に記載の画像形成装置である。
【００１５】
請求項４に記載の発明によれば、折れた原稿をＡＤＦに通紙するために設けられた画像形成動作モードが選択された場合に必要とされる機械状態を要求することができる。
【００１６】
請求項５に記載の発明は、前記表示手段に表示される表示情報は、前記画像形成動作モードを含むことを特徴とする請求項１〜４のいずれか一項に記載の画像形成装置である。
【００１７】
請求項５に記載の発明によれば、画像形成動作モードを含む表示情報を表示することにより、特定機械状態を必要とする理由を示すことができる。また、特定機械状態下において機能する画像形成動作モードが選択されていることを認識していないユーザに注意を促すことができる。
【００１８】
請求項６に記載の発明は、前記制御手段は、前記画像形成動作モードが選択された場合であって、当該画像形成装置の機械状態が前記特定機械状態である場合に、その特定機械状態を維持することを促す内容の表示情報を前記表示手段に一定時間表示させた後、前記特定機械状態以外の機械状態を示す内容の表示情報を前記表示手段に表示させることを特徴とする請求項１〜５のいずれか一項に記載の画像形成装置である。
【００１９】
請求項６に記載の発明によれば、特定機械状態を維持することを促す内容の表示情報を表示手段に一定時間表示することにより、ユーザが特定の機械状態以外の状態にすることを防ぎ、その後、特定機械状態以外の機械状態を示す内容の表示情報を表示手段に表示することができる。
【００２０】
【発明の実施の形態】
以下、図を参照して本発明の実施の形態について詳細に説明する。ただし、発明の範囲は、図示例に限定されない。
【００２１】
まず、本実施の形態における画像形成装置１の構成を説明する。図１に、画像形成装置１の要部構成を示す。図１に示すように、画像形成装置１は、制御部１１、スキャナ部１２、操作部１３、プリンタ部１４を備える本体と、コントローラ部２０を備えて構成され、本体とコントローラ部２０は、ＰＣＩバスにより接続されている。
【００２２】
まず、制御部１１は、画像データ制御部１１１、不揮発メモリ１１２、画像メモリ１１３、読み取り処理部１１４、圧縮ＩＣ１１５、伸長ＩＣ１１６、書き込み処理部１１７、記憶部１１８を備えて構成されている。制御部１１は、操作部１３から入力される指示に応じて、スキャナ部１２、コントローラ部２０から入力される画像データに所定の処理を施して、プリンタ部１４に出力する。
【００２３】
画像データ制御部１１１は、記憶部１１８に記憶される各種制御プログラムを読み出して、該制御プログラムに従って、画像形成装置１を構成する各部の動作を集中制御する。具体的に、画像データ制御部１１１は、スキャナ制御部１２２、操作制御部１３２、プリンタ制御部１４２等の各制御部を統括して制御することにより、画像形成装置１全体の制御を行う。
【００２４】
また、画像データ制御部１１１は、画像メモリ１１３に格納される画像データの入出力、及び圧縮／伸長処理の制御を行う。例えば、スキャナ部１２から画像データが入力された場合、圧縮ＩＣ１１５から入力された圧縮済画像データを圧縮メモリ１１３ａに格納させる。また、コントローラ部２０から画像データが入力された場合、ＰＣＩバスを介して入力される非圧縮画像データをページメモリ１１３ｂに一時的に格納させ、ページメモリ１１３ｂから非圧縮画像データを読み出して圧縮ＩＣ１１５に出力し、画像データの圧縮を行わせ、圧縮された画像データを圧縮メモリ１１３ａに格納させる。
【００２５】
また、プリンタ部１４に画像データを出力する場合、画像データ制御部１１１は、圧縮メモリ１１３ａから圧縮された画像データを読み出して伸長ＩＣ１１６に出力し、画像データを伸長させ、伸長された画像データを書き込み処理部１１７に出力させる。さらに、コントローラ部２０に画像データを出力する場合、圧縮メモリ１１３ａから圧縮された画像データを読み出して伸長ＩＣ１１６に出力し、画像データを伸長させ、伸長された画像データをページメモリ１１３ｂに一時的に格納させる。続いて、ページメモリ１１３ｂから伸長された画像データを読み出して、ＰＣＩバスを介して、コントローラ部２０に伸長された画像データを出力させる。
【００２６】
不揮発メモリ１１２は、各種処理プログラムで処理されたデータ等を格納している。不揮発メモリ１１２は、画像データ制御部１１１の制御に応じて、記憶部１１８又はコントローラ部２０の画像メモリ２０３にデータを出力する。また、不揮発メモリ１１２は、画像データ制御部１１１の制御により、記憶部１１８又はコントローラ部２０の画像メモリ２０３から入力されるデータを記憶する。
【００２７】
画像メモリ（ＤＲＡＭ：Ｄｙｎａｍｉｃ  Ｒａｎｄｏｍ  Ａｃｃｅｓｓ  Ｍｅｍｏｒｙ）１１３は、圧縮メモリ１１３ａ、ページメモリ１１３ｂを備えている。圧縮メモリ１１３ａは、スキャナ部１２、コントローラ部２０から入力され、圧縮ＩＣ１１５で圧縮された画像データを一時的に格納する。また、ページメモリ１１３ｂは、圧縮されていない画像データ、圧縮された後、伸長された画像データ等を一時的に格納する。
【００２８】
読み取り処理部１１４は、スキャナ部１２のＣＣＤ（Ｃｈａｒｇｅ  Ｃｏｕｐｌｅｄ  Ｄｅｖｉｃｅ）１２１から入力される原稿に記載されている文字列又は画像の光情報を電気信号（画像データ）に変換して、圧縮ＩＣ１１５に出力する。
【００２９】
圧縮ＩＣ１１５は、読み取り処理部１１４から入力された画像データを圧縮して、画像データ制御部１１１に出力する。ただし、ページメモリ１１３ｂに格納される画像データについては、圧縮せずにそのまま出力する。
【００３０】
伸長ＩＣ１１６は、画像データ制御部１１１から入力された圧縮された画像データを可視化するため伸長して、書き込み処理部１１７に出力する。ただし、ページメモリ１１３ｂに格納されていた圧縮されていない画像データについては、伸長せずにそのまま出力する。
【００３１】
書き込み処理部１１７は、伸長ＩＣ１１６から入力される伸長済画像データに基づいて、プリンタ部１４のＬＤ（Ｌａｓｅｒ  Ｄｉｏｄｅ）１４１を制御して、図示しない感光体ドラム上にレーザビームを照射させ、静電潜像を形成させる。
【００３２】
記憶部１１８は、プログラムやデータ等が予め記憶されている図示しない記録媒体（例えば、ＨＤＤ：Ｈａｒｄ  Ｄｉｓｋ  Ｄｒｉｖｅ）を有しており、この記録媒体は磁気的、光学的記録媒体、若しくは半導体メモリで構成されている。また、この記録媒体は記憶部１１８に固定的に設けられるもの、若しくは着脱自在に装着されるものであり、システムプログラム、当該システムに対応する各種処理プログラム、及び各種処理プログラムで処理されたデータ等を記憶する。
【００３３】
スキャナ部１２は、ＣＣＤ１２１、スキャナ制御部１２２、プラテンカバー１２３、開閉検知部１２４等を備えて構成されている。
【００３４】
ＣＣＤ１２１は、光電変換機能を有する複数の画素が配列された光電面（図示せず）を有しており、これら複数の画素によって原稿面の画像情報を含む光情報を読み取り処理部１１４に出力する。
【００３５】
スキャナ制御部１２２は、画像データ制御部１１１の制御に応じて、スキャナを駆動制御する。
【００３６】
プラテンカバー１２３は、図示しないプラテン上に開閉可能に設置され、閉状態においてプラテンを覆うように構成されており、ＡＤＦ（Ａｕｔｏ  Ｄｏｃｕｍｅｎｔ  Ｆｅｅｄｅｒ：自動原稿送り装置）１２５を備える。ＡＤＦ１２５は、原稿トレー、紙送り機構等により構成される。ＡＤＦ１２５は、プラテンカバー１２３が閉じられた状態で、原稿トレーにセットされた原稿を原稿束の一番上から一枚ずつプラテン上の原稿読取面に順次搬送し、また、読み取りが終了した原稿を順次排出する。
【００３７】
開閉検知部１２４は、プラテンカバー１２３の開閉状態を検知するセンサ等を備え、センサからの検知信号を画像データ制御部１１１に出力する。
【００３８】
操作部１３は、ＬＣＤ（Ｌｉｑｕｉｄ  Ｃｒｙｓｔａｌ  Ｄｉｓｐｌａｙ）等によってなる表示部１３１を覆うように設けられたタッチパネルを備え、操作制御部１３２は、電磁誘導式、磁気歪式、感圧式等の座標読み取り原理でタッチ指示された座標を検出し、検出した座標を位置信号として画像データ制御部１１１に出力する。
【００３９】
プリンタ部１４は、ＬＤ１４１を備え、プリンタ制御部１４２は、ＬＤ１４１の投射光を用いた電子写真方式によって、書き込み処理部１１７から入力される画像データを、被画像形成媒体（例えば、印刷用紙等）に転写して排紙出力する。
【００４０】
コントローラ部２０は、コントローラ制御ＣＰＵ２０１、ＤＲＡＭ制御ＩＣ２０２、画像メモリ（ＤＲＡＭ）２０３、ＬＡＮ  ＩＦ（Ｌｏｃａｌ  Ａｒｅａ  Ｎｅｔｗｏｒｋ  Ｉｎｔｅｒｆａｃｅ）２０４等を備えて構成されている。コントローラ部２０は、ネットワークＮを介してパーソナルコンピュータ、ファクシミリ等から受信した画像データを画像メモリ２０３に一旦記憶した後、制御部１１に画像データを出力して画像形成可能なデータに変換し、プリンタ部１４にて画像形成を行わせる。
【００４１】
コントローラ制御ＣＰＵ２０１は、図示しないＲＯＭに記憶される各種制御プログラムを読み出して、該制御プログラムに従って、コントローラ部２０を構成する各部の動作を集中制御する。
【００４２】
ＤＲＡＭ制御ＩＣ２０２は、コントローラ制御ＣＰＵ２０１の制御に応じて、画像メモリ２０３に格納される画像データの入出力の制御を行う。具体的に、ＤＲＡＭ制御ＩＣ２０２は、ＬＡＮ  ＩＦ２０４を介して入力される画像データ又は制御部１１からＰＣＩバスを介して入力される画像データを画像メモリ２０３に格納する。また、画像メモリ２０３に格納された画像データをＬＡＮ  ＩＦ２０４に出力して他機器に送信させる。さらに、ＤＲＡＭ制御ＩＣ２０２は、画像メモリ２０３に格納された画像データをＰＣＩバスを介して制御部１１に出力して、画像形成を行わせる。
【００４３】
画像メモリ２０３は、ネットワークＮを介してＬＡＮ  ＩＦ２０４から入力される画像データ、又はＰＣＩバスを介して制御部１１から入力される画像データを一時的に格納する。
【００４４】
ＬＡＮ  ＩＦ２０４は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、あるいはインターネット等のネットワークＮに接続された伝送媒体に接続可能なインターフェースであり、ネットワークＮを介して入力される画像データをＤＲＡＭ制御ＩＣ２０２に出力するとともに、ＤＲＡＭ制御ＩＣ２０２から出力される画像データを、ネットワークＮを介して他機器に送信する。
【００４５】
次に、本実施の形態の動作を説明する。
なお、動作説明の前提として、以下のフローチャートに記述されている各処理を実現するためのプログラムは、画像形成装置１の画像データ制御部１１１が読み取り可能なプログラムコードの形態で記憶部１１８に格納されており、画像データ制御部１１１は、当該プログラムコードに従った動作を逐次実行する。
【００４６】
まず、原稿外自動消去モード選択時について説明する。原稿外自動消去モードとは、プラテン上に載置された原稿の領域を自動的に判別し、原稿外領域の情報を消去する画像形成動作モードをいう。ＣＣＤ１２１により読み取られる原稿領域と、原稿外領域との信号差に基づいて原稿領域を判別するため、プラテンカバー１２３が開状態であることが必要となる。
【００４７】
図２（ａ）に、表示部１３１に表示される基本画面を示す。図２（ａ）において、応用機能ボタン３０が選択入力されると、表示部１３１に、図２（ｂ）に示すような応用機能画面が表示される。原稿外自動消去モードを選択する場合には、図２（ｂ）において、原稿外自動消去ボタン３１が選択入力され、ＯＫボタン３２が押下される。ＯＫボタン３２の押下により、基本画面に復帰する。
【００４８】
図３は、画像データ制御部１１１により実行される原稿外自動消去モード選択時の設定状態及び機械状態チェック処理を示すフローチャートである。
【００４９】
まず、図３に示すように、原稿外自動消去モードが選択されているか否かが判別される（ステップＳ１）。原稿外自動消去モードが選択されている場合には（ステップＳ１；ＹＥＳ）、開閉検知部１２４により、プラテンカバー１２３が閉じているか否かが検知される（ステップＳ２）。
【００５０】
プラテンカバー１２３が閉じている場合には（ステップＳ２；ＹＥＳ）、図４（ａ）に示すように、表示部１３１に「原稿外自動消去が選ばれています。プラテンカバーを開いて下さい」というメッセージが表示される（ステップＳ３）。プラテンカバー１２３が開いている場合には（ステップＳ２；ＮＯ）、ステップＳ５にジャンプする。
【００５１】
上記メッセージに従って、ユーザがプラテンカバー１２３を開くと、開閉検知部１２４により、プラテンカバー１２３の開状態が検知される（ステップＳ４；ＹＥＳ）。
【００５２】
プラテンカバー１２３の開状態が検知されると（又はプラテンカバー１２３が開いている場合には（ステップＳ２；ＮＯ））、図４（ｂ）に示すように、表示部１３１に「原稿外自動消去が選ばれています。プラテンカバーは開いたままにして下さい」というメッセージが一定時間（例えば、３〜５秒）表示される（ステップＳ５）。一定時間経過後、図４（ｃ）に示すように、表示部１３１に「コピーできます」というメッセージが表示される（ステップＳ６）。なお、原稿外自動消去モードが選択されている場合には、プラテンカバー１２３が開状態であることが必要であるため、図４（ａ）〜図４（ｃ）に示すように、ＡＤＦ１２５を用いた両面原稿の読み取りは選択できないようになっている。
【００５３】
そして、コピーボタンが押下され、原稿外自動消去モードを用いて原稿外領域の情報が消去された画像が出力される（ステップＳ７）。
以上で、原稿外自動消去モード選択時の設定状態及び機械状態チェック処理が終了する。
【００５４】
次に、Ｚ折れ原稿モード選択時について説明する。Ｚ折れ原稿モードとは、ＡＤＦ１２５を用いて、Ｚ折れ原稿等の一度折られて元に戻したような原稿を正常に読み込むための画像形成動作モードをいう。Ｚ折れ原稿モードが選択されているときには、プラテンカバー１２３が閉状態であることが必要となる。
【００５５】
図５（ａ）に、表示部１３１に表示される基本画面を示す。図５（ａ）において、原稿設定ボタン３３が選択入力されると、表示部１３１に、図５（ｂ）に示すような原稿設定画面が表示される。Ｚ折れ原稿モードを選択する場合には、図５（ｂ）において、Ｚ折れ原稿ボタン３４が選択入力され、ＯＫボタン３５が押下される。ＯＫボタン３５の押下により、基本画面に復帰する。
【００５６】
図６は、画像データ制御部１１１により実行されるＺ折れ原稿モード選択時の設定状態及び機械状態チェック処理を示すフローチャートである。
【００５７】
まず、図６に示すように、Ｚ折れ原稿モードが選択されているか否かが判別される（ステップＳ１１）。Ｚ折れ原稿モードが選択されている場合には（ステップＳ１１；ＹＥＳ）、開閉検知部１２４により、プラテンカバー１２３が開いているか否かが検知される（ステップＳ１２）。
【００５８】
プラテンカバー１２３が開いている場合には（ステップＳ１２；ＹＥＳ）、図７（ａ）に示すように、表示部１３１に「Ｚ折れ原稿が選ばれています。プラテンカバーを閉じて下さい」というメッセージが表示される（ステップＳ１３）。プラテンカバー１２３が閉じている場合には（ステップＳ１２；ＮＯ）、ステップＳ１５にジャンプする。
【００５９】
上記メッセージに従って、ユーザがプラテンカバー１２３を閉じると、開閉検知部１２４により、プラテンカバー１２３の閉状態が検知される（ステップＳ１４；ＹＥＳ）。
【００６０】
プラテンカバー１２３の閉状態が検知されると（又はプラテンカバー１２３が閉じている場合には（ステップＳ１２；ＮＯ））、図７（ｂ）に示すように、表示部１３１に「Ｚ折れ原稿が選ばれています。プラテンカバーを閉じたままにして下さい」というメッセージが一定時間（例えば、３〜５秒）表示される（ステップＳ１５）。一定時間経過後、図７（ｃ）に示すように、表示部１３１に「コピーできます」というメッセージが表示される（ステップＳ１６）。
【００６１】
そして、コピーボタンが押下され、Ｚ折れ原稿モードを用いて読み取られた画像が出力される（ステップＳ１７）。
以上で、Ｚ折れ原稿モード選択時の設定状態及び機械状態チェック処理が終了する。
【００６２】
本実施の形態における画像形成装置１によれば、プラテンカバー１２３の開状態において機能する「原稿外自動消去モード」が選択されている場合であって、プラテンカバー１２３が開状態でない場合には、プラテンカバー１２３を開くことを促すメッセージを表示部１３１に表示し、また、プラテンカバー１２３が開状態である場合には、プラテンカバー１２３を開いたままにすることを促すメッセージを表示部１３１に表示するので、「原稿外自動消去モード」に関して熟知していないユーザがプラテンカバー１２３を閉じることを防ぎ、操作性を向上させることができる。また、プラテンカバー１２３を開いたままにすることを促すメッセージを一定時間表示した後は、プラテンカバー１２３の開閉状態以外の機械状態を示すメッセージを表示することができる。
【００６３】
また、プラテンカバー１２３の閉状態において機能する「Ｚ折れ原稿モード」が選択されている場合であって、プラテンカバー１２３が閉状態でない場合には、プラテンカバー１２３を閉じることを促すメッセージを表示部１３１に表示し、また、プラテンカバー１２３が閉状態である場合には、プラテンカバー１２３を閉じたままにすることを促すメッセージを表示部１３１に表示するので、「Ｚ折れ原稿モード」に関して熟知していないユーザがプラテンカバー１２３を開くことを防ぎ、操作性を向上させることができる。また、プラテンカバー１２３を閉じたままにすることを促すメッセージを一定時間表示した後は、プラテンカバー１２３の開閉状態以外の機械状態を示すメッセージを表示することができる。
【００６４】
さらに、プラテンカバー１２３の開状態又は閉状態を必要とする画像形成動作モード（原稿外自動消去やＺ折れ原稿）を含むメッセージを表示することにより、プラテンカバー１２３の開状態又は閉状態を必要とする理由を示すことができる。また、原稿外自動消去モード又はＺ折れ原稿モードが選択されていることを認識していないユーザに注意を促すことができる。
【００６５】
なお、本実施の形態においては、画像形成を行う際に特定の機械状態が必要とされる機能として、原稿外自動消去モードとＺ折れ原稿モードについて説明したが、これらに限定されない。また、特定の機械状態についても、プラテンカバー１２３の開閉状態に限らない。
【００６６】
また、上記の実施の形態における画像形成装置１の細部構成及び詳細動作に関しては、本発明の趣旨を逸脱しない範囲で適宜変更可能である。
【００６７】
【発明の効果】
請求項１に記載の発明によれば、特定機械状態下において機能する画像形成動作モードが選択された場合であって、画像形成装置の機械状態が特定機械状態でない場合に、その特定機械状態にすることを促す内容の表示情報を表示手段に表示し、画像形成装置の機械状態が特定機械状態である場合に、その特定機械状態を維持することを促す内容の表示情報を表示手段に表示するので、特定機械状態下において機能する画像形成動作モードに関して熟知していないユーザが特定機械状態以外の状態にすることを防ぎ、操作性を向上させることができる。
【００６８】
請求項２に記載の発明によれば、プラテンカバー又はＡＤＦの開状態又は閉状態において機能する画像形成動作モードが選択された場合に、プラテンカバー又はＡＤＦの開状態又は閉状態を要求することができる。
【００６９】
請求項３に記載の発明によれば、原稿の領域を自動判別する画像形成動作モードが選択された場合に必要とされる機械状態を要求することができる。
【００７０】
請求項４に記載の発明によれば、折れた原稿をＡＤＦに通紙するために設けられた画像形成動作モードが選択された場合に必要とされる機械状態を要求することができる。
【００７１】
請求項５に記載の発明によれば、画像形成動作モードを含む表示情報を表示することにより、特定機械状態を必要とする理由を示すことができる。また、特定機械状態下において機能する画像形成動作モードが選択されていることを認識していないユーザに注意を促すことができる。
【００７２】
請求項６に記載の発明によれば、特定機械状態を維持することを促す内容の表示情報を表示手段に一定時間表示することにより、ユーザが特定の機械状態以外の状態にすることを防ぎ、その後、特定機械状態以外の機械状態を示す内容の表示情報を表示手段に表示することができる。
【図面の簡単な説明】
【図１】画像形成装置１の要部構成を示すブロック図である。
【図２】原稿外自動消去モードを選択する際の表示部１３１の表示例を示す図である。
【図３】画像データ制御部１１１により実行される原稿外自動消去モード選択時の設定状態及び機械状態チェック処理を示すフローチャートである。
【図４】原稿外自動消去モードが選択されている場合の表示部１３１の表示例を示す図である。
【図５】Ｚ折れ原稿モードを選択する際の表示部１３１の表示例を示す図である。
【図６】画像データ制御部１１１により実行されるＺ折れ原稿モード選択時の設定状態及び機械状態チェック処理を示すフローチャートである。
【図７】Ｚ折れ原稿モードが選択されている場合の表示部１３１の表示例を示す図である。
【符号の説明】
１  画像形成装置
１１  制御部
１１１  画像データ制御部
１１２  不揮発メモリ
１１３  画像メモリ
１１４  読み取り処理部
１１５  圧縮ＩＣ
１１６  伸長ＩＣ
１１７  書き込み処理部
１１８  記憶部
１２  スキャナ部
１２１  ＣＣＤ
１２２  スキャナ制御部
１２３  プラテンカバー
１２４  開閉検知部
１２５  ＡＤＦ
１３  操作部
１３１  表示部
１３２  操作制御部
１４  プリンタ部
１４１  ＬＤ
１４２  プリンタ制御部
２０  コントローラ部
２０１  コントローラ制御ＣＰＵ
２０２  ＤＲＡＭ制御ＩＣ
２０３  画像メモリ
２０４  ＬＡＮ  ＩＦ
Ｎ  ネットワーク
【図１】
2005004039.tif 000003
【図２】
2005004039.tif 000004
【図３】
2005004039.tif 000005
【図４】
2005004039.tif 000006
【図５】
2005004039.tif 000007
【図６】
2005004039.tif 000008
【図７】
2005004039.tif 000009